(57)【特許請求の範囲】
【請求項１】
少なくとも２つのアンテナの間に配置される容量結合されたアイソレータアセンブリを有する装置であって、
前記アイソレータアセンブリは前記少なくとも２つのアンテナの間でアイソレーションを提供し、
前記少なくとも２つのアンテナは、接地面により電気的に接続され、
前記アイソレータアセンブリは、
前記接地面に電気的に接続される接地された導電性エレメント；及び
前記接地された導電性エレメントに容量結合された電気的にフローティングのカップリングエレメント；
を有することを特徴とする装置。
【請求項２】
前記接地された導電性エレメントは、第１長辺と第２長辺とを有し、
前記電気的にフローティングのカップリングエレメントは、前記接地された導電性エレメントの双方の長辺に対して容量結合されている
ことを特徴とする請求項１に記載の装置。
【請求項３】
前記電気的にフローティングのカップリングエレメントは、前記接地された導電性エレメントの双方の長辺に沿って延びている
ことを特徴とする請求項２に記載の装置。
【請求項４】
電気的にフローティングのカップリングエレメントは、前記少なくとも２つのアンテナにより放射される搬送波信号の波長の１／４又は１／２の長さを有する
ことを特徴とする請求項１に記載の装置。
【請求項５】
前記アイソレータアセンブリは、前記アイソレータアセンブリの共振モードを適応的に調整するための１つ又は複数の調整可能なキャパシタを含む
ことを特徴とする請求項１に記載の装置。
【請求項６】
電気的にフローティングのカップリングエレメントは、第１の電気的にフローティングのカップリングエレメントであり、当該装置は：
接地された導電性エレメントに容量結合される第２の電気的にフローティングのカップリングエレメントであって、前記第１の電気的にフローティングのカップリングエレメントとは異なる端から端までの長さを有する、カップリングエレメントを有する
ことを特徴とする請求項１に記載の装置。
【請求項７】
電気的にフローティングのカップリングエレメントは、第１の電気的にフローティングのカップリングエレメントであり、当該装置は：
接地された導電性エレメントに容量結合された第２の電気的にフローティングのカップリングエレメントであって、前記第１の電気的にフローティングのカップリングエレメントは、接地された導電性エレメントと第１の電気的にフローティングのカップリングエレメントとの間にルーティングされている、カップリングエレメント
を更に有することを特徴とする請求項１に記載の装置。
【請求項８】
少なくとも２つのアンテナの間に容量結合されたアイソレータアセンブリを配置するステップを有する方法であって、
前記容量結合されたアイソレータアセンブリは、前記少なくとも２つのアンテナの間でアイソレーションを提供し、
前記少なくとも２つのアンテナは、接地面により電気的に接続され、
前記アイソレータアセンブリは、
前記接地面に電気的に接続される接地された導電性エレメント；及び
前記接地された導電性エレメントに容量結合された電気的にフローティングのカップリングエレメント；
を有することを特徴とする方法。
【請求項９】
少なくとも２つのアンテナ；
前記少なくとも２つのアンテナの間に配置される容量結合されたアイソレータアセンブリであって、前記少なくとも２つのアンテナは接地面により電気的に接続され、容量結合されたアイソレータアセンブリは、前記少なくとも２つのアンテナの間でアイソレーションを提供し且つ前記接地面に電気的に接続される接地された導電性エレメントと、前記接地された導電性エレメントに容量結合された第１の電気的にフローティングのカップリングエレメントと、前記接地された導電性エレメントに容量結合された第２の電気的にフローティングのカップリングエレメントとを有し、前記第２の電気的にフローティングのカップリングエレメントは、前記第１の電気的にフローティングのカップリングエレメントとは異なる端から端までの長さを有する、アイソレータアセンブリ；
を有することを特徴とするコンピューティングデバイス。
【発明の詳細な説明】
【発明の概要】
【０００１】
本願に記載され対象とされる実現手段は、容量結合されたアイソレーションアセンブリを含むアイソレータセンブリを提供することにより従来技術に対処する。一形態では、容量結合されたアイソレータアセンブリは、搬送波の波長の1/2又は1/4の長さを有する電気的にフローティングの導電性カップリング要素を備えることにより、マルチバンドアイソレーションをもたらす。他の形態では、マルチバンドアイソレーションを達成するために、複数の容量結合された要素が使用される。
【０００２】
この概要の欄は、以下の詳細な説明で更に説明される概念のうち選択されたものを簡易な形式で紹介するために設けられている。この概要の欄は、請求項に係る事項のうちの主要な特徴又は本質的特徴を特定するようには意図されておらず、請求項に係る事項の範囲を限定するために使用されることにも意図されていない。
【０００３】
他の形態も本願で記載及び説明されている。
【図面の簡単な説明】
【０００４】
図1は電子装置に配置される容量結合されたアイソレータアセンブリを例示する図である。
【０００５】
図2は電子デバイスにおける2つのアンテナの間に配置される容量結合されたアイソレータアセンブリを例示する図である。
【０００６】
図3は、シャントコンポーネントを含み且つ電子デバイスにおける2つのアンテナの間に配置される容量結合されたアイソレータアセンブリを例示する図である。
【０００７】
図4は、複数のカップリングコンポーネントを含み且つ電子デバイスにおける2つのアンテナの間に配置される容量結合されたアイソレータアセンブリを例示する図である。
【０００８】
図5は、容量結合されるアイソレータアセンブリの一例により達成されるアイソレーション特性をプロットした図である。
【０００９】
図6は、容量結合されるアイソレータアセンブリの一例を利用する分離するアンテナのための動作例を示す図である。
【発明を実施するための形態】
【００１０】
第4世代ワイヤレスシステム及びその後継は複数入力複数出力(multiple-input，  multiple  -output：MIMO)方式のアンテナシステムを利用してよい。MIMOアンテナシステムを利用すると、無線周波数バンドにおける受信及び送信に複数のアンテナを使用して通信パフォーマンスを改善することができる。更に、コンピューティングデバイスのアンテナシステムは、複数のアンテナを利用して複数の選択周波数で無線電波を受信及び送信することに関する課題を提示し、例えば、その課題はコンピューティングデバイスが異なる電気通信標準仕様に準拠するアンテナを含むような場合におけるものである。互いに適切に離間されていない場合、異なるアンテナからの信号は、望まれないけれども強い相互カップリングにより互いに干渉してしまう可能性がある。このカップリングはアンテナシステムパフォーマンスを減少させてしまう。従って、小型コンピュータ電子装置は、ささいなことではないアンテナ間隔の制約を課すことになり、それにより設計の選択肢を制限してしまう(小型コンピュータ電子装置は、例えば、ラップトップコンピュータ、タブレットコンピュータ、モバイルフォン、及び、無線ウェアラブルコンピューティングシステム等を含んでよいが、これらに限定されない)。
【００１１】
アンテナ間に配置されるアイソレータは、アンテナカップリングを減らすかもしれないし、アンテナパフォーマンスを犠牲にすることなく、互いに近接して2つ以上のアンテナを配置する設計を許容する。アイソレータは、デバイス設計全体における豊富な自由度を設計者に許容し、複数のアンテナを小型デバイスの中に含めることを許容する。
【００１２】
図1は電子デバイス100に配置される容量結合されたアイソレータアセンブリ102を例示する。電子デバイス100は、例えば、タブレットコンピュータ、ラップトップ、モバイルフォン、パーソナルデータアシスタント、セルラフォン、スマートフォン、ブルーレイプレーヤ、ゲームシステム、ウェアラブルコンピュータ、或いは、無線通信回路を含む他の任意のデバイスを含んでよいが、これらに限定されない。
【００１３】
電子デバイス100は、アイソレータアセンブリ(又は分離アセンブリ)102の両側に配置される複数のアンテナ(例えば、RFアンテナ)を含む。特に、アイソレータアセンブリ102は、第1外側アンテナ104と第2外側アンテナ106との間であって第1内側アンテナ108と第2内側アンテナ110との間に配置される。図示されるアンテナのうち少なくとも1つのアンテナは、他のものとは異なる周波数で動作する。例えば、第1内側アンテナ108は第2内側アンテナ110、第1外側アンテナ104及び第2外側アンテナ106と異なる周波数バンドで動作してもよい。代替的に、電子デバイス100は、同じアンテナによる2つ以上の「ペア又は対」を含み、各々のペアのうちのアンテナの間にアイソレータアセンブリ102が配置されてもよい。この構成は、例えば、MIMO通信システムで使用されてよい。他の実現手段も本願で開示されており或いは想定されている。
【００１４】
一形態において、第1内側アンテナ108及び第2内側アンテナ110は実質的に同一であって第1周波数バンドで動作する一方、第1外側アンテナ104及び第2外側アンテナ106は実質的に同一であって第2周波数バンドで動作する。例えば、第1内側アンテナ108及び第2内側アンテナ110は、ワイヤレスローカルエリアネットワークにおいて無線信号を送受信してもよい。ワイヤレスローカルエリアネットワークは、IEEE802.11標準仕様に基づいてもよいし、或いは他の工業規格の仕様に基づいてもよい。IEEE802.11(すなわち、「WiFi」)は、2つの周波数バンドで動作し、第1周波数バンドは2400ないし2500MHzであり、第2周波数バンドは5725ないし5875MHzである。上記又は他の実現手段において、第1外側アンテナ104及び第2外側アンテナ106は、セルラ通信用に割り当てられた周波数バンド、すなわち0.7ないし2.7GHzにおいて無線信号を送受信する。これらの周波数バンドは、例えば、LTE、WiMax、4G、3G、2G、ブルートゥース(登録商標)、IEEE802.11、近距離無線通信(Near-field  communication：NFC)及びその他を含む通信仕様に対応していてもよい。
【００１５】
アイソレータアセンブリ102は表面112のエッジ領域(又は端部領域又は縁部領域)に配置されるように示されており、その表面は電子デバイス100の内側又は外側表面であってよい。表面112は、電子デバイス100の正面、背面又は側面の一部分であってよい。ある実現手段では、アイソレータアセンブリ102は、表面112のエッジ領域以外の領域に配置される。
【００１６】
アンテナが表面112上で使用中であり且つ実際に信号を受信又は送信している場合、表面112上に表面電流が形成される。効果的なアイソレーションが無い場合、表面電流は、同一の又はオーバーラップする周波数バンドで動作する2つ以上のアンテナにより送受信される信号同士の間に「カップリング」を生じさせる可能性がある。例えば、第1内側アンテナ108から出て行く送信によって生じる表面電流は、第2内側アンテナ110と「結合」して干渉してしまうかもしれない。このカップリングの結果として、1つ以上のリンクの速度が減少し、或いは、システムパフォーマンスが妨げられてしまうかもしれない。
【００１７】
アンテナカップリングは、重複する周波数範囲で動作するアンテナを互いに有効に分離することによって、防止又は削減することが可能である。アイソレーションは、表面112に沿ってアンテナを戦略的に配置することにより、或いは、アイソレータアセンブリ102のようなアイソレータを利用することにより達成されることが可能である。戦略的な配置により分離するために、オーバーラップする周波数バンドで動作する2つのアンテナは、一実施例では、RFシステムにおけるアイソレーション要請に応じて、オーバーラップする周波数バンドに対応する波長の何分の一かの分だけ互いから隔てられる。例えば、離間距離は、動作周波数バンドに関連する波長の1/4であってもよい。しかしながら、所定の工業デザインにおいて、特に、限られた表面領域しか有しない小型電子デバイスにおいて、所望の離間距離が常に実現可能であるとは限らない。配置の課題は、より長い波長を伴う低い周波数で動作するアンテナの場合に特に顕著になる。
【００１８】
アイソレータアセンブリ102はアイソレーションを提供し、そのアイソレーションは、第1周波数バンドで動作する2つのアンテナが、複数の周波数バンドに対応する各波長の1/4より短い距離しか表面112上で互いに物理的に隔たっていないことを許容する。図1に例示されるアイソレータアセンブリ102は、「L字状」のグランドエレメント114と「C字状」の電気的にフローティングのカップリングエレメント116とを含み、116はグランドエレメント114の両側に沿ってルーティングされている。一実施例では、「L字状」のグランドエレメントは、接地面130の辺端部に平行な経路を辿る導電性トレースにおいて2つの長辺を有する。グランドエレメント114は、シャント(shunt)コンポーネントにより、又は、他の相互接続エレメントにより、接地面130に電気的に直接的に接続されてよい。カップリングエレメント116は、グランドには接続されておらず、グランドエレメント114と容量結合している。カップリングエレメント116の長さは、分離されるRF信号周波数の低次ないし高次の高調波に対応して設定されてよい(例えば、RF信号波長の1/4又は1/2)。それに応じて、表面112に沿う信号電流は、グランドエレメント114と容量結合するカップリングエレメント116に広がる。このようにして、内側アンテナ108からの信号電流はカップリングエレメント116により外側アンテナ110から分離され、また、その逆も行われる。図1は2つの周波数バンドでアイソレーションを行うアイソレータアセンブリ102を示しているが(例えば、カップリングエレメント116の長さの2倍及び4倍の波長に対応する周波数におけるものであるが)、他の実施例は2つより多い周波数バンドでアイソレーションを提供してもよい。
【００１９】
図2は、電子デバイスにおける2つのアンテナの間に配置される容量結合されたアイソレータアセンブリを例示している。図示されていないが、表面212は、アイソレータアセンブリ202の一方又は双方の側に配置される追加的なアンテナ要素を含んでよい。表面212における少なくとも1つのアンテナは第1周波数バンドF1で無線信号を放出し、表面212における少なくとも1つのアンテナは、第1周波数バンドとオーバーラップしていない第2周波数バンドF2で無線信号を放出する。例えば、アンテナ204，206はWiFi周波数バンドで動作する一方、アイソレータアセンブリ102を挟んで対向する側に配置される別のアンテナ対(図示せず)はセルラ周波数バンドで動作してもよい。本願では他の実施形態も想定されている。
【００２０】
アイソレータアセンブリ202は、絶縁材料(例えば、誘電体材料)214により包囲されるカップリングエレメント216とグランドエレメント222とを含む。グランドエレメント222は、接地された導電性エレメントである。カップリングエレメント216は、電気的にフローティングであり、周波数バンドF1又はF2の何れかにおいて共振する表面電流によって共鳴状態に励起される。グランドエレメント222は「L字状」であるように示されているが；本願では他の形状も想定されている。カップリングエレメント116は「C字状」であるように示されているが；本願では他の形状も想定されており、例えば「L字形状」及びメアンダ状の経路を為すことを含むが、これらに限定されない。一実施例では、グランドエレメント222及びカップリングエレメント216は、誘電体の媒体214上に印刷され且つ表面212に搭載されたコンポーネントである。
【００２１】
カップリングエレメント216の端から端までの長さ(破線224により示されている)は、周波数F1を有する電波の波長に関連付けられる。一実施例では、カップリングエレメント216は、c/F1という距離の1/4及びc/F2という距離の1/2に実質的に等しい全長224を有し、ここでcは光速である。グランドエレメント222の両側226及び228に沿ってカップリングエレメント216の経路を辿らせることによって、カップリングエレメント216は、端から端までの長さ224に沿ってグランドエレメント222と容量結合される。
【００２２】
動作中、アイソレータアセンブリ202は、そのような周波数で共鳴するカップリングエレメントの結果として、F1又はF2というレンジ内の共振周波数の表面電流の流れを妨げる。表面212上の1つ以上のアンテナが周波数バンドF1又はF2で無線信号を発している場合、アンテナ204及び206の間を流れようとする表面電流は、アイソレータアセンブリ202において効果的に終了させられる。一実施例では、F1は2.4GHzのWiFiバンドのために使用される周波数であり、F2は5GHzのWiFiバンド(5.8GHzのWiFiバンドとしても知られている)における周波数であるが、他の周波数バンドがこの方法で分離されてもよい。
【００２３】
図3は、シャントエレメント318を含み且つ電子デバイスにおける2つのアンテナの間に配置される容量結合されたアイソレータアセンブリを例示している。図示されてはいないが、表面312は、アイソレータアセンブリ302の一方又は双方の側に配置される追加的なアンテナエレメントを含んでもよい。表面312における少なくとも1つのアンテナは第1周波数バンドF1で無線信号を放出し、表面312における少なくとも1つのアンテナは、第1周波数バンドとオーバーラップしていない第2周波数バンドF2で無線信号を放出する。例えば、アンテナ304，306はWiFi周波数バンドで動作する一方、アイソレータアセンブリ102を挟んで対向する側に配置される別のアンテナ対(図示せず)はセルラ周波数バンドで動作してもよい。本願では他の実施形態も想定されている。
【００２４】
アイソレータアセンブリ302は、絶縁材料(例えば、誘電体材料)314により包囲されるカップリングエレメント316とグランドエレメント322とを含む。グランドエレメント322は、接地された導電性エレメントである。カップリングエレメント316は、電気的にフローティングであり、周波数バンドF1又はF2の何れかにおいて共振する表面電流によって共鳴状態に励起される。グランドエレメント322は「L字状」であるように示されているが；本願では他の形状も想定されている。カップリングエレメント316は「C字状」であるように示されているが；本願では他の形状も想定されており、例えば「L字形状」及びメアンダ状の経路を為すことを含むが、これらに限定されない。一実施例では、グランドエレメント322及びカップリングエレメント316は、誘電体の媒体314上に印刷され且つ表面312に搭載されたコンポーネントである。
【００２５】
カップリングエレメント316の端から端までの長さ(破線324により示されている)は、周波数F1を有する電波の波長に関連付けられる。一実施例では、カップリングエレメント316は、c/F1という距離の1/4及びc/F2という距離の1/2に実質的に等しい全長324を有し、ここでcは光速である。グランドエレメント322の両側326及び328に沿ってカップリングエレメント316の経路を辿らせることによって、カップリングエレメント316は、端から端までの長さ324に沿ってグランドエレメント322と容量結合される。
【００２６】
動作中、アイソレータアセンブリ302は、そのような周波数で共鳴するカップリングエレメントの結果として、F1又はF2というレンジ内の共振周波数の表面電流の流れを妨げる。表面312上の1つ以上のアンテナが周波数バンドF1又はF2で無線信号を発している場合、アンテナ304及び306の間を流れようとする表面電流は、アイソレータアセンブリ302において効果的に終了させられる。一実施例では、F1は2.4GHzのWiFiバンドのために使用される周波数であり、F2は5GHzのWiFiバンドにおける周波数であるが、他の周波数バンドがこの方法で分離されてもよい。
【００２７】
アイソレータアセンブリ302はシャント回路318も含んでおり、シャント回路318はアイソレータアセンブリ302のアイソレーション周波数を調節することが可能である。一実施例では、シャントエレメント318は、可変容量エレメント329(例えば、電圧依存性の容量エレメント)とインダクタ331(別途、拡大図330において詳細に示されている)とを含む。可変容量エレメント329の容量を調整することによって、アイソレーション周波数は更に調整されることが可能である。シャントコンポーネント318は、グランドエレメント322とともに共鳴回路の一部として動作し、カップリングエレメント322の電気長を調整する。この方法により、アイソレータアセンブリ302は、様々な周波数でアイソレーションを提供するように変更されてよい。
【００２８】
図4は、複数のカップリングコンポーネント415及び416を含み且つ電子デバイスにおける2つのアンテナ404及び406の間に配置される容量結合されたアイソレータアセンブリ402を例示している。図示されていないが、表面412は、アイソレータアセンブリ402の一方又は双方の側に配置される追加的なアンテナ要素を含んでよい。表面412における少なくとも1つのアンテナは第1周波数バンドF1で無線信号を放出し、表面412における少なくとも1つのアンテナは、第1周波数バンドとオーバーラップしていない第2周波数バンドF2で無線信号を放出する。例えば、アンテナ404，406はWiFi周波数バンドで動作する一方、アイソレータアセンブリを挟んで対向する側に配置される別のアンテナ対(図示せず)はセルラ周波数バンドで動作してもよい。電子デバイスにおける同じアンテナ又は他のアンテナが、周波数バンドF3及びF4で無線信号を放出してもよい。本願では他の実施形態も想定されている。
【００２９】
アイソレータアセンブリ402は、絶縁材料(例えば、誘電体材料)414により包囲される、グランドエレメント422、第1カップリングエレメント416及び第2カップリングエレメント415を含む。グランドエレメント422は、接地された導電性エレメントである。カップリングエレメント416及び415は、電気的にフローティングである。カップリングエレメント416は、周波数バンドF1又はF2の何れかにおいて共振する表面電流によって共鳴状態に励起され、カップリングエレメント415は、周波数バンドF3又はF4の何れかにおいて共振する表面電流によって共鳴状態に励起される。グランドエレメント422は「L字状」であるように示されているが；本願では他の形状も想定されている。カップリングエレメント416及び415は「C字状」であるように示されているが；本願では他の形状も想定されており、例えば「L字形状」及びメアンダ状の経路を為すことを含むが、これらに限定されない。一実施例では、グランドエレメント422及びカップリングエレメント416は、誘電体の媒体414上に印刷され且つ表面412に搭載されたコンポーネントである。
【００３０】
カップリングエレメント416の端から端までの長さ(破線424により示されている)は、周波数F1を有する電波の波長に関連付けられる。一実施例では、カップリングエレメント416は、c/F1という距離の1/4及びc/F2という距離の1/2に実質的に等しい全長424を有し、ここでcは光速である。グランドエレメント422の両側426及び428に沿ってカップリングエレメント416の経路を辿らせることによって、カップリングエレメント416は、端から端までの長さ424に沿ってグランドエレメント422と容量結合される。
【００３１】
カップリングエレメント415の端から端までの長さ(破線423により示されている)は、周波数F1を有する電波及び周波数F2を有する電波の波長に関連付けられる。一実施例では、カップリングエレメント415は、c/F3という距離の1/4及びc/F4という距離の1/2に実質的に等しい全長423を有し、ここでcは光速である。グランドエレメント422の両側426及び428に沿ってカップリングエレメント415の経路を辿らせることによって、カップリングエレメント415は、端から端までの長さ423に沿ってグランドエレメント422と容量結合される。
【００３２】
動作中、アイソレータアセンブリ402は、そのような周波数で共鳴するカップリングエレメント416の結果として、F1又はF2というレンジ内の共振周波数、及び、そのような周波数で共鳴するカップリングエレメント415の結果として、F3又はF4というレンジ内の共振周波数とともに、表面電流の流れを妨げる。表面412上の1つ以上のアンテナが周波数バンドF1又はF2において又は周波数バンドF3又はF4で無線信号を発している場合、アンテナ404及び406の間を流れようとする表面電流は、アイソレータアセンブリ402において効果的に終了させられる。一実施例では、F1は2.4GHzのWiFiバンドのために使用される周波数であり、F2は5GHzのWiFiバンドにおける周波数であり、F3及びF4は(例えば、LTE、4G等のような)移動通信で使用される周波数であるが、他の周波数バンドがこの方法で分離されてもよい。
【００３３】
図5は、容量結合されたアイソレータアセンブリの一例により達成されるアイソレーション特性502をプロットしたグラフ500を、アンテナ1及びアンテナ2のアンテナリターンロス504及び506と比較しながら示しており、アンテナ1及び2の間にはアイソレータアセンブリが配置されている。図示されているように、例示的な容量結合されたアイソレータアセンブリは、近似的にc/2.4GHz及びc/5GHzの長さを有する容量結合されたカップリングエレメントを含み、ここでcは光速であり、そのアイソレータアセンブリは2.4GHz及び5GHzの領域で強いアイソレーションをもたらしている。
【００３４】
図6は、容量結合されたアイソレータアセンブリの一例を利用する分離するアンテナのための動作例600を例示している。形成動作602は、2つ以上のアンテナの間における電子デバイス上にアイソレータアセンブリを形成する。アイソレータアセンブリは、第1周波数バンド及び第2周波数バンドで共鳴するように構成され、少なくとも1つの導電性グランドエレメントを含む。一実施例では、アイソレータアセンブリは、単独の電気的にフローティングの容量結合される導電性カップリングエレメントを含み、その導電性カップリングエレメントは、そのような周波数バンドの波長の約1/2及び1/4の長さに基づいて2つ上の周波数バンドで共振する。別の実施例では、アイソレータアセンブリは、複数の電気的にフローティングの容量結合される導電性カップリングエレメント(群)を含む。
【００３５】
受信動作604は、1つ又は複数のアンテナにおいて、第1周波数バンドで動作する搬送波を受信する。受信動作604に応じて、第1周波数バンドに属する発信周波数の表面電流が電子デバイス上で形成される。
【００３６】
アイソレーション動作606は、アイソレータアセンブリを挟んで反対側に位置する何らかのアンテナから搬送波を受信する可能性があるアンテナを分離する。特に、アイソレーション動作606は、第1周波数バンドで共振する電気的にフローティングの容量結合される導電性カップリングエレメントにより実行される。上述したように、1つ又は複数の追加的な周波数バンドに対して同じプロセスがなされてもよい。本願では他の実施形態も想定されている。
【００３７】
本願に記述される本発明の実施例は1つ以上のコンピュータシステムにおける論理ステップとして実現されてよい場合があるかもしれない。本発明の論理動作は、(1)1つ以上のコンピュータシステムで動作する一連のプロセッサ実行ステップとして及び(2)1つ以上のコンピュータシステム内で相互接続されるマシン又は回路モジュールとして実現されもよい。実施例は、本発明を実施するコンピュータシステムのパフォーマンス条件に依存して選択されてよい。従って、本願で説明される本発明の実施例を構成する論理動作は、動作、ステップ、オブジェクト又はモジュール等のように様々に言及されてよい。更に、論理動作は、明示的な別段の断りがない限り又は特定の順序が請求項の文言により必要とされない限り、任意の順序で実行されてもよく、必要に応じて付加及び削除されてよいことが、理解されるべきである。
【００３８】
上記の詳細、具体例及びデータは、実施例の構造及び利用性についての十分な説明をもたらす。請求項に係る発明の精神及び範囲から逸脱することなく、多くの形態が実施される可能性があり、添付の特許請求の範囲が発明を規定する。更に、様々な具体例の構造的特徴は、特許請求の範囲から逸脱することなく、更に他の実施例で組み合わせられてもよい。
【図１】
0006562945.tif 000002
【図２】
0006562945.tif 000003
【図３】
0006562945.tif 000004
【図４】
0006562945.tif 000005
【図５】
0006562945.tif 000006
【図６】
0006562945.tif 000007